(57)【要約】【課題】  ローラーのディスク状記録媒体に対する接触不良による不具合の発生を防止する。【解決手段】  印画面及び記録面を有するディスク状記録媒体に対して情報信号の記録又は再生を行う記録再生ユニットと、ディスク状記録媒体の印画面に対して印画を行う印画ヘッドと、ディスク状記録媒体の外周面に対して離接し外周面に接した状態で回転されることによりディスク状記録媒体を回転させるローラーと、ローラーをローラーの軸方向へ付勢するバネ部材と、バネ部材によって付勢されたローラーが押し付けられる規制部を有しローラーの軸方向における位置決めを行う位置規制部材とを設けた。【選択図】        図１１
2013051009.tif 000002
【特許請求の範囲】
【請求項１】
印画面及び記録面を有するディスク状記録媒体に対して情報信号の記録又は再生を行う記録再生ユニットと、
前記ディスク状記録媒体の印画面に対して印画を行う印画ヘッドと、
前記ディスク状記録媒体の外周面に対して離接し前記外周面に接した状態で回転されることにより前記ディスク状記録媒体を回転させるローラーと、
前記ローラーを前記ローラーの軸方向へ付勢するバネ部材と、
前記バネ部材によって付勢された前記ローラーが押し付けられる規制部を有し前記ローラーの前記軸方向における位置決めを行う位置規制部材とを備えた
ディスク駆動装置。
【請求項２】
前記ローラーは前記軸方向における一方の面が前記規制部に押し付けられた状態で回転され、
前記位置規制部材の規制部に前記ローラーの前記一方の面側に突出され前記一方の面が摺動される摺動リブを設けた
請求項１に記載のディスク駆動装置。
【請求項３】
前記記録再生ユニットは前記ディスク状記録媒体が装着されるディスクテーブルを有し、
前記記録再生ユニットが所定の方向へ移動されるディスクトレイに支持され、
前記ディスクトレイが移動自在に支持されるシャーシを設け、
前記シャーシに前記位置規制部材を取り付けた
請求項１に記載のディスク駆動装置。
【請求項４】
前記位置規制部材に、前記シャーシに取り付けられる被取付部と、前記被取付部と前記規制部とを連結する補強リブ部とを設けた
請求項１に記載のディスク駆動装置。
【請求項５】
前記ローラーが回転自在に支持され前記ディスク状記録媒体の外周面に対して離接する方向へ移動される作動レバーを設け、
前記バネ部材を前記作動レバーと前記ローラーの間に配置し、
前記作動レバーに前記ローラー側に開口された配置用凹部を形成し、
前記配置用凹部に前記バネ部材の少なくとも一部を配置した
請求項１に記載のディスク駆動装置。
【請求項６】
前記ローラーに前記作動レバー側に開口された凹状部を形成し、
前記凹状部に前記バネ部材の少なくとも一部を配置した
請求項５に記載のディスク駆動装置。
【請求項７】
前記バネ部材としてコイルバネを用い、
前記バネ部材の内側に前記ローラーの回転中心となる中心軸が位置されるようにした
請求項１に記載のディスク駆動装置。
【請求項８】
前記ローラーに前記軸方向に離隔して位置された一対のフランジ部と前記一対のフランジ部の間に位置され前記ディスク状記録媒体の外周面に接し前記フランジ部より外径が小さい接触駆動部とを設け、
前記一対のフランジ部の外周部における互いに対向する面にそれぞれ外周に近付くに従って互いに離隔する案内面を形成した
請求項１に記載のディスク駆動装置。
【発明の詳細な説明】
【技術分野】
【０００１】
本技術はディスク駆動装置についての技術分野に関する。詳しくは、ディスク状記録媒体の外周面に接してディスク状記録媒体を回転させるローラーをバネ部材によって軸方向へ付勢して位置決めを行いローラーのディスク状記録媒体に対する接触不良による不具合の発生を防止する技術分野に関する。
【背景技術】
【０００２】
近年のデジタル技術の進歩に伴って音声情報や画像情報の記録や再生を行うための記録媒体としてＣＤ（Compact Disc）、ＤＶＤ（Digital Versatile Disc）、ＢＤ（Blu-ray Disc）等の各種のディスク状記録媒体が普及している。
【０００３】
このようなディスク状記録媒体においては、音声情報や画像情報の記録や再生を行う他、記録された情報の内容等を表面に印画する要求が高く、一方の面が印画面として形成されたディスク状記録媒体がある。
【０００４】
印画面に対して記録された情報の内容等を印画することにより、使用者にとっては記録された情報を把握して所望のディスク状記録媒体を容易に特定することが可能となり、使い勝手の向上が図られる。
【０００５】
ディスク状記録媒体に対する情報信号の記録又は再生を行うディスク駆動装置には、ディスク状記録媒体の記録面に対して記録又は再生を行う記録再生ユニットとディスク状記録媒体の印画面に対して印画を行う印画ユニットとが設けられたものがある（例えば、特許文献１参照）。
【０００６】
このような印画ユニットが設けられたディスク駆動装置においては、一方の面が印画面とされ他方の面が記録面とされたディスク状記録媒体が装着され、記録面に対して光ピックアップ等を有する記録再生ユニットによって情報信号の記録又は再生が行われ、印画面に対して印画ヘッドを有する印画ユニットによって印画が行われる。
【０００７】
光ピックアップ等を有する記録再生ユニットは記録面に沿って光ピックアップを移動させて情報信号の記録又は再生を行うために、記録面に対向する側に配置されている。また、印画ヘッドを有する印画ユニットは印画面に沿って印画ヘッドを移動させて印画を行うために、印画面に対向する側に配置されている。
【０００８】
従って、記録再生ユニットと印画ユニットはディスクテーブルに装着されるディスク状記録媒体を挟んでディスク状記録媒体の厚み方向における反対側に配置されている。
【０００９】
印画の方式としては各種の方式が存在するが、インクジェットプリント方式による印画ユニットを上記のようなディスク駆動装置に用いた場合には、インクミストがディスク駆動装置の内部に飛散してディスク状記録媒体やディスク駆動装置の内部に配置された各部を汚染するおそれがある。
【００１０】
従って、上記のようなディスク駆動装置に用いる印画の方式としては、各部の汚染を生じないために、印画面に印画ヘッドを押し当てて熱により印画を行うサーマルヘッド等の熱転写方式が好ましい。
【００１１】
特許文献１に記載されたディスク駆動装置にあっては、ローラーが回動可能なレバーに回転自在に支持され、レバーが回動されることによりローラーがディスク状記録媒体の外周面に接触し又はディスク状記録媒体の外周面から離隔されるように構成されている。
【００１２】
ディスク状記録媒体の外周面にローラーが接触された状態においてローラーが回転されると、ディスク状記録媒体がローラーの回転に伴って回転される。
【００１３】
【特許文献１】特開２００７−５０５１４号公報
【発明の開示】
【発明が解決しようとする課題】
【００１４】
ところが、上記のようなディスク駆動装置にあっては、ローラー及びレバーを有する機構がローラーやレバーの他にギヤ等の複数の各部材によって構成されている。従って、各部品の加工精度や組付精度によりローラーの位置がディスク状記録媒体に対してローラーの軸方向へずれてしまい、ローラーがディスク状記録媒体の外周面に適正に接触されないと言う接触不良が生じるおそれがある。
【００１５】
このような接触不良としては、例えば、ディスク状記録媒体の表面にローラーが乗り上げてしまうことやディスク状記録媒体の正しい位置にローラーが接触されないことがある。
【００１６】
ディスク状記録媒体の表面にローラーが乗り上げてしまうと、ディスク状記録媒体の表面が傷付いたり損傷してしまう等の不具合を生じるおそれがあり、また、ディスク状記録媒体の正しい位置にローラーが接触されないと、ディスク状記録媒体が回転され難くなり同一の箇所に印画が重なる印画不良の不具合を生じるおそれがある。
【００１７】
また、ディスク状記録媒体が水平方向を向いた状態で回転される所謂縦置き型のディスク駆動装置にあっては、重力によってディスク状記録媒体に対してローラーの位置がずれてしまい、ローラーのディスク状記録媒体に対する接触不良が生じるおそれがある。
【００１８】
そこで、本技術ディスク駆動装置は、上記した問題点を克服し、ローラーのディスク状記録媒体に対する接触不良による不具合の発生を防止することを課題とする。
【課題を解決するための手段】
【００１９】
第１に、ディスク駆動装置は、上記した課題を解決するために、印画面及び記録面を有するディスク状記録媒体に対して情報信号の記録又は再生を行う記録再生ユニットと、前記ディスク状記録媒体の印画面に対して印画を行う印画ヘッドと、前記ディスク状記録媒体の外周面に対して離接し前記外周面に接した状態で回転されることにより前記ディスク状記録媒体を回転させるローラーと、前記ローラーを前記ローラーの軸方向へ付勢するバネ部材と、前記バネ部材によって付勢された前記ローラーが押し付けられる規制部を有し前記ローラーの前記軸方向における位置決めを行う位置規制部材とを備えたものである。
【００２０】
従って、ディスク駆動装置にあっては、位置規制部材によって位置決めがされた状態でローラーがディスク状記録媒体の外周面に接触される。
【００２１】
第２に、上記したディスク駆動装置においては、前記ローラーは前記軸方向における一方の面が前記規制部に押し付けられた状態で回転され、前記位置規制部材の規制部に前記ローラーの前記一方の面側に突出され前記一方の面が摺動される摺動リブを設けることが望ましい。
【００２２】
位置規制部材の規制部にローラーの一方の面側に突出され一方の面が摺動される摺動リブを設けることがにより、ローラーが移動されるときのローラーの位置規制部材に対する接触面積が小さくなる。
【００２３】
第３に、上記したディスク駆動装置においては、前記記録再生ユニットは前記ディスク状記録媒体が装着されるディスクテーブルを有し、前記記録再生ユニットが所定の方向へ移動されるディスクトレイに支持され、前記ディスクトレイが移動自在に支持されるシャーシを設け、前記シャーシに前記位置規制部材を取り付けることが望ましい。
【００２４】
ディスクトレイが移動自在に支持されるシャーシを設け、シャーシに位置規制部材を取り付けることにより、位置規制部材のディスク状記録媒体に対する高い位置精度が確保される。
【００２５】
第４に、上記したディスク駆動装置においては、前記位置規制部材に、前記シャーシに取り付けられる被取付部と、前記被取付部と前記規制部とを連結する補強リブ部とを設けることが望ましい。
【００２６】
位置規制部材に、シャーシに取り付けられる被取付部と、被取付部と規制部とを連結する補強リブ部とを設けることにより、補強リブ部によって規制部が補強され、ローラーが位置規制部材に押し付けられた状態において規制部が変形し難い。
【００２７】
第５に、上記したディスク駆動装置においては、前記ローラーが回転自在に支持され前記ディスク状記録媒体の外周面に対して離接する方向へ移動される作動レバーを設け、前記バネ部材を前記作動レバーと前記ローラーの間に配置し、前記作動レバーに前記ローラー側に開口された配置用凹部を形成し、前記配置用凹部に前記バネ部材の少なくとも一部を配置することが望ましい。
【００２８】
バネ部材を作動レバーとローラーの間に配置し、作動レバーにローラー側に開口された配置用凹部を形成し、配置用凹部にバネ部材の少なくとも一部を配置することにより、作動レバーの一端面からバネ部材の一端までの長さが短縮される。
【００２９】
第６に、上記したディスク駆動装置においては、前記ローラーに前記作動レバー側に開口された凹状部を形成し、前記凹状部に前記バネ部材の少なくとも一部を配置することが望ましい。
【００３０】
ローラーに作動レバー側に開口された凹状部を形成し、凹状部にバネ部材の少なくとも一部を配置することにより、バネ部材の他端からローラーの一端までの長さが短縮される。
【００３１】
第７に、上記したディスク駆動装置においては、前記バネ部材としてコイルバネを用い、前記バネ部材の内側に前記ローラーの回転中心となる中心軸が位置されるようにすることが望ましい。
【００３２】
バネ部材としてコイルバネを用い、バネ部材の内側にローラーの回転中心となる中心軸が位置されるようにすることにより、中心軸及びバネ部材の配置スペースが小さくなる。
【００３３】
第８に、上記したディスク駆動装置においては、前記ローラーに前記軸方向に離隔して位置された一対のフランジ部と前記一対のフランジ部の間に位置され前記ディスク状記録媒体の外周面に接し前記フランジ部より外径が小さい接触駆動部とを設け、前記一対のフランジ部の外周部における互いに対向する面にそれぞれ外周に近付くに従って互いに離隔する案内面を形成することが望ましい。
【００３４】
一対のフランジ部の外周部における互いに対向する面にそれぞれ外周に近付くに従って互いに離隔する案内面を形成することにより、ローラーがディスク状記録媒体の外周面に近付くときに、案内面によってディスク状記録媒体が案内可能とされ、ディスク状記録媒体が一対のフランジ部間に挿入され易くなる。
【発明の効果】
【００３５】
本技術ディスク駆動装置は、印画面及び記録面を有するディスク状記録媒体に対して情報信号の記録又は再生を行う記録再生ユニットと、前記ディスク状記録媒体の印画面に対して印画を行う印画ヘッドと、前記ディスク状記録媒体の外周面に対して離接し前記外周面に接した状態で回転されることにより前記ディスク状記録媒体を回転させるローラーと、前記ローラーを前記ローラーの軸方向へ付勢するバネ部材と、前記バネ部材によって付勢された前記ローラーが押し付けられる規制部を有し前記ローラーの前記軸方向における位置決めを行う位置規制部材とを備えている。
【００３６】
従って、ローラーの軸方向における位置精度が高くなり、ローラーがディスク状記録媒体の外周面の正しい位置に確実に接触され、ローラーのディスク状記録媒体に対する接触不良が生じることがなく、ローラーのディスク状記録媒体に対する接触不良による不具合の発生を防止することができる。
【００３７】
請求項２に記載した技術にあっては、前記ローラーは前記軸方向における一方の面が前記規制部に押し付けられた状態で回転され、前記位置規制部材の規制部に前記ローラーの前記一方の面側に突出され前記一方の面が摺動される摺動リブを設けている。
【００３８】
従って、フランジ部が摺動リブに摺動されるため、ローラーが移動されるときのローラーの位置規制部材に対する接触面積が小さく、ローラーの移動に対する負荷が小さく、ローラーを円滑に移動させることができる。
【００３９】
請求項３に記載した技術にあっては、前記記録再生ユニットは前記ディスク状記録媒体が装着されるディスクテーブルを有し、前記記録再生ユニットが所定の方向へ移動されるディスクトレイに支持され、前記ディスクトレイが移動自在に支持されるシャーシを設け、前記シャーシに前記位置規制部材を取り付けている。
【００４０】
従って、位置規制部材のディスク状記録媒体に対する位置精度が高く、位置規制部材に押し付けられたローラーとディスク状記録媒体の良好な位置精度を確保することができる。
【００４１】
請求項４に記載した技術にあっては、前記位置規制部材に、前記シャーシに取り付けられる被取付部と、前記被取付部と前記規制部とを連結する補強リブ部とを設けている。
【００４２】
従って、補強リブ部によって規制部が補強されており、ローラーが位置規制部材に押し付けられた状態においても規制部が変形し難く、ローラーの軸方向における良好な位置精度を確保することができる。
【００４３】
請求項５に記載した技術にあっては、前記ローラーが回転自在に支持され前記ディスク状記録媒体の外周面に対して離接する方向へ移動される作動レバーを設け、前記バネ部材を前記作動レバーと前記ローラーの間に配置し、前記作動レバーに前記ローラー側に開口された配置用凹部を形成し、前記配置用凹部に前記バネ部材の少なくとも一部を配置している。
【００４４】
従って、作動レバーの一端面からバネ部材の一端までの長さを短縮することができ、ディスク駆動装置の薄型化及び小型化を図ることができる。
【００４５】
請求項６に記載した技術にあっては、前記ローラーに前記作動レバー側に開口された凹状部を形成し、前記凹状部に前記バネ部材の少なくとも一部を配置している。
【００４６】
従って、バネ部材の他端からローラーの一端までの長さを短縮することができ、ディスク駆動装置の一層の薄型化及び小型化を図ることができる。
【００４７】
請求項７に記載した技術にあっては、前記バネ部材としてコイルバネを用い、前記バネ部材の内側に前記ローラーの回転中心となる中心軸が位置されるようにしている。
【００４８】
従って、中心軸及びバネ部材の配置スペースの有効活用が図られ、その分、ディスク駆動装置の小型化を図ることができる。
【００４９】
請求項８に記載した技術にあっては、前記ローラーに前記軸方向に離隔して位置された一対のフランジ部と前記一対のフランジ部の間に位置され前記ディスク状記録媒体の外周面に接し前記フランジ部より外径が小さい接触駆動部とを設け、前記一対のフランジ部の外周部における互いに対向する面にそれぞれ外周に近付くに従って互いに離隔する案内面を形成している。
【００５０】
従って、ローラーがディスク状記録媒体の外周面に近付くときに、案内面によってディスク状記録媒体が案内可能とされ、ディスク状記録媒体が一対のフランジ部間に挿入され易く、ローラーの接触駆動部をディスク状記録媒体の外周面に確実に接触させることができる。
【発明を実施するための最良の形態】
【００５１】
以下に、本技術ディスク駆動装置の実施の形態を添付図面に従って説明する。
【００５２】
以下の説明にあっては、ディスク状記録媒体の厚み方向を上下方向として前後上下左右の方向を示すものとする。
【００５３】
尚、以下に示す前後上下左右の方向は説明の便宜上のものであり、本技術の実施に関しては、これらの方向に限定されることはない。
【００５４】
［ディスク駆動装置の構成］
ディスク駆動装置１は外筐２の内部に所要の各部が配置されて成る（図１乃至図３参照）。
【００５５】
外筐２は前後左右の長さに比して上下の長さが短い扁平な箱状に形成され、前面部３の下半部にトレイ挿脱口３ａを有している。
【００５６】
ディスク駆動装置１にはディスクトレイ４が設けられ、ディスクトレイ４は前後方向へ移動されてトレイ挿脱口３ａを介して外筐２から引き出され又は外筐２の内部に収納される。ディスクトレイ４はトレイ本体５とトレイ本体５の前面に取り付けられた横長のフロントパネル６とを有している。
【００５７】
トレイ本体５には上方に開口されたディスク装填用凹部５ａが形成されている。トレイ本体５には上下に貫通された配置孔５ｂが形成されている。トレイ本体５の左右両端部はそれぞれ被ガイド部５ｃ、５ｃとして設けられている。
【００５８】
トレイ本体５の配置孔５ｂには記録再生ユニット７が配置されている。記録再生ユニット７はピックアップベース７ａとピックアップベース７ａに取り付けられたディスクテーブル７ｂとピックアップベース７ａに移動自在に支持された光ピックアップ７ｃとを有している。
【００５９】
記録再生ユニット７は上下方向へ移動可能とされている。ディスクテーブル７ｂは図示しないスピンドルモーターによって回転され、記録再生ユニット７が下方の移動端に位置された状態においてはディスク装填用凹部５ａの下方に位置され、記録再生ユニット７が上方の移動端に位置された状態においてはディスク装填用凹部５ａの上方に位置される。
【００６０】
外筐２の内部にはシャーシ８が配置されている（図３及び図４参照）。シャーシ８は底面部８ａと底面部８ａの側縁から上方へ突出された側面部８ｂと底面部８ａの後縁から上方へ突出された後面部８ｃとを有している。
【００６１】
シャーシ８の左右両端部にはそれぞれガイドレール９、９が取り付けられている。ガイドレール９、９にはそれぞれディスクトレイ４の被ガイド部５ｃ、５ｃが摺動自在に支持され、ディスクトレイ４がガイドレール９、９に案内されて前後方向へ移動される。
【００６２】
シャーシ８の後面部８ｃには位置規制部材１０が取り付けられている。位置規制部材１０の詳細については後述する。
【００６３】
フロントパネル６は右端部がトレイ本体５より右方に位置されている。フロントパネル６には操作釦６ａが配置されている。ディスクトレイ４が外筐２の内部に収納された状態において操作釦６ａが操作されると、ディスクトレイ４が前方へ移動されて外筐２から引き出されトレイ本体５のディスク装填用凹部５ａにディスク状記録媒体１００を装填することが可能となる。トレイ本体５のディスク装填用凹部５ａにディスク状記録媒体１００が装填された状態においては、ディスク状記録媒体１００の一部（右端部）がトレイ本体５から右方へ突出される。
【００６４】
外筐２から引き出されたトレイ本体５のディスク装填用凹部５ａにディスク状記録媒体１００が装填された状態において操作釦６ａが操作されると、ディスクトレイ４が後方へ移動されて外筐２の内部に収納される。ディスクトレイ４が外筐２の内部に収納されると、記録再生ユニット７が上昇されてディスクテーブル７ｂがディスク状記録媒体１００の中心孔１００ａに下方から挿入され、ディスク状記録媒体１００がディスクテーブル７ｂに装着される。
【００６５】
ディスク状記録媒体１００がディスクテーブル７ｂに装着された状態においては、ディスク状記録媒体１００がトレイ本体５から上方に離隔して位置される。
【００６６】
ディスク状記録媒体１００は、下面が情報信号の記録が行われる記録面１０１として形成され、上面が印画が行われる印画面１０２として形成されている（図２参照）。印画面１０２は、例えば、ディスク状記録媒体１００の表面に感熱紙が貼り付けられたり印画ヘッド（サーマルヘッド）によって印画が可能な塗料が塗布されることにより形成されている。
【００６７】
ディスク状記録媒体１００がディスクテーブル７ｂに装着された状態において操作釦６ａが操作されると、記録再生ユニット７が下降されてディスクテーブル７ｂがディスク装填用凹部５ａの下方に移動され、このときディスク状記録媒体１００がディスク装填用凹部５ａに載置されることによりディスクテーブル７ｂに対するディスク状記録媒体１００の装着が解除される。続いて、ディスクトレイ４が前方へ移動されて外筐２から引き出されディスク装填用凹部５ａからディスク状記録媒体１００を取り出すことが可能となる。
【００６８】
尚、上記には、記録再生ユニット７が上下方向へ移動されてディスクテーブル７ｂに対するディスク状記録媒体１００の装着及びその解除が行われる例を示したが、例えば、記録再生ユニット７が上下方向へ移動されない構成とされていてもよい。この場合には、予めディスクテーブルがディスクトレイから上方に突出されており、外筐からディスクトレイが引き出された状態で使用者がディスク状記録媒体のディスクテーブルに対する装着及びその解除を行う。
【００６９】
外筐２の内部における右端部には配置ベース１１が配置されている（図３及び図４参照）。配置ベース１１はシャーシ８の右端部に連続して設けられている。
【００７０】
配置ベース１１は前後に長い形状に形成されている。配置ベース１１は上面がベース面１１ａとして形成されている。ベース面１１ａの一部には、例えば、ゴム材料やフエルト材料等によって形成されたクッション部材１２が貼り付けられている。
【００７１】
外筐２の内部には記録再生ユニット７の上側に印画ユニット１３が配置されている（図２及び図３参照）。
【００７２】
印画ユニット１３は支持ベース１４に所要の部材が支持又は取り付けられて成る（図４乃至図８参照）。
【００７３】
支持ベース１４は外筐２の内部における上端側に固定されている。
【００７４】
支持ベース１４は、上下方向を向くベース部１５と、ベース部１５から後方へ突出されたギヤ支持部１６と、ベース部１５からそれぞれ下方へ突出された軸取付部１７、１７、１８、１８と、ベース部１５から下方へ突出されたセンサー取付部１９と、ギヤ支持部１６からそれぞれ下方へ突出されたモーター取付部２０、２１とを有している。
【００７５】
ギヤ支持部１６はベース部１５の左右方向における中央部から後方へ突出されている。
【００７６】
軸取付部１７、１７はそれぞれベース部１５の左右両側縁における前端寄りの位置から下方へ突出され、軸取付部１８、１８はそれぞれベース部１５の左右両側縁における後端寄りの位置から下方へ突出されている。
【００７７】
センサー取付部１９はベース部１５の後縁における左端寄りの位置から下方へ突出された連結面部１９ａと連結面部１９ａの下縁から前方へ突出された取付面部１９ｂとから成る。
【００７８】
モーター取付部２０はギヤ支持部１６の後縁から下方へ突出され、モーター取付部２１はギヤ支持部１６の右側縁から下方へ突出されている。モーター取付部２０、２１にはそれぞれ挿通孔２０ａ、２１ａが形成されている。
【００７９】
支持ベース１４のベース部１５の下面には右端側に案内カム２２が取り付けられている（図９参照）。案内カム２２は左右に延びる形状に形成され、上下方向を向く板状に形成された被取付面部２３と被取付面部２３から下方へ突出され前後方向を向く板状に形成されたカムガイド部２４とから成る。カムガイド部２４は左右に延び、カムガイド部２４の右端部が第１の作用部２４ａとして設けられ、第１の作用部２４ａと第１の作用部２４ａの左端に連続された第２の作用部２４ｂとから成る。第２の作用部２４ｂは第１の作用部２４ａより下方への突出量が大きくされ、第１の作用部２４ａは第２の作用部２４ｂに近付くに従って下方への突出量が大きくなるように形成されている。
【００８０】
ベース部１５の下面には右端部における案内カム２２の直ぐ後側に戻しカム２５が取り付けられている。戻しカム２５は上側案内部２６と下側案内部２７とから成り、上側案内部２６と下側案内部２７にはそれぞれ右方へ行くに従って前方へ変位するように傾斜された案内面２６ａ、２７ａが形成されている。
【００８１】
支持ベース１４のギヤ支持部１６にはそれぞれ伝達ギヤ２８と送りギヤ２９と段付ギヤ３０とが回転自在に支持されている。
【００８２】
伝達ギヤ２８と送りギヤ２９はギヤ支持部１６の左端部において後方側から順に位置され、ギヤ支持部１６の下面側に位置されている。伝達ギヤ２８は小径部２８ａと大径部２８ｂとから成る。送りギヤ２９はギヤ部２９ａとギヤ部２９ａの下面に設けられた作用部２９ｂとから成り、作用部２９ｂがギヤ部２９ａから下方へ突出された状態でギヤ部２９ａの中心部から外周部に亘る部分に設けられている。伝達ギヤ２８の小径部２８ａと送りギヤ２９のギヤ部２９ａとは噛合されている。
【００８３】
段付ギヤ３０はギヤ支持部１６の右端部における下面側に位置され、大径部３０ａと小径部３０ｂとから成る。
【００８４】
支持ベース１４の軸取付部１７、１７間と軸取付部１８、１８間とにはそれぞれガイド部材として機能するガイド軸３１、３２が取り付けられている（図４乃至図８参照）。ガイド軸３１、３２は平行な状態で左右に延びるように配置されている。
【００８５】
支持ベース１４におけるセンサー取付部１９の取付面部１９ｂには位置検出センサー３３が取り付けられている。
【００８６】
支持ベース１４のモーター取付部２０には後面に駆動モーター３４が取り付けられている。駆動モーター３４のモーター軸３４ａにはウォーム３５が固定されている。ウォーム３５は挿通孔２０ａを挿通されてモーター取付部２０の前方に位置され、伝達ギヤ２８の大径部２８ｂに噛合されている。
【００８７】
支持ベース１４のモーター取付部２１には右側面に回転用モーター３６が取り付けられている。回転用モーター３６のモーター軸３６ａにはウォーム３７が固定されている。ウォーム３７は挿通孔２１ａを挿通されてモーター取付部２１の左方に位置され、段付ギヤ３０の小径部３０ｂに噛合されている。
【００８８】
支持ベース１４のベース部１５には後端部に作動レバー３８が回動自在に支持されている。作動レバー３８は略左右に延びる形状に形成され、左右方向における略中央部が回動支点とされている。作動レバー３８の左端寄りの位置には上方へ突出された被作用突部３８ａが設けられ、被作用突部３８ａは送りギヤ２９の規制部２９ｂに係合可能とされている。
【００８９】
作動レバー３８の回動支点には中間ギヤ３９が回転自在に支持されている。中間ギヤ３９は小径部３９ａと大径部３９ｂから成る。中間ギヤ３９は小径部３９ａが段付ギヤ３０の大径部３０ａに噛合されている。
【００９０】
作動レバー３８には中間ギヤ３９の左方に従動ギヤ４０とローラー４１が同軸上に回転自在に支持され、従動ギヤ４０とローラー４１は一体になって回転される。従動ギヤ４０は作動レバー３８の上面側に位置されローラー４１は作動レバー３８の下面側に位置されている。従動ギヤ４０は中間ギヤ３９の大径部３９ｂに噛合されている。
【００９１】
従って、回転用モーター３６が回転されると、その駆動力が順にウォーム３７、段付ギヤ３０及び中間ギヤ３９に伝達され、従動ギヤ４０とローラー４１が一体になって回転される。
【００９２】
従動ギヤ４０とローラー４１は上下に延びる中心軸７０によって連結されている（図１０及び図１１参照）。中心軸７０は上端部が従動ギヤ４０の中心部に固定され下端部がローラー４１の中心部に固定されている。
【００９３】
中心軸７０は作動レバー３８に軸方向へ移動自在に支持されている。従って、従動ギヤ４０とローラー４１は作動レバー３８に対して一体になって上下方向へ移動可能とされている。
【００９４】
作動レバー３８のローラー４１が支持された部分には下方に開口された配置用凹部３８ｂが形成されている。
【００９５】
作動レバー３８は右端部と図示しないバネ取付部との間に支持された引張コイルバネ４２によって左端部が略前方へ移動し右端部が略後方へ移動する回動方向へ付勢されている。
【００９６】
ローラー４１は上下に離隔して位置された一対のフランジ部８０、８１とフランジ部８０、８１間に位置された接触駆動部８２とを有している。
【００９７】
フランジ部８０、８１は、例えば、滑り性の良好なポリオキシメチレン（ＰＯＭ）等の樹脂材料によって形成されている。フランジ部８０、８１の外周部における互いに対向する面には、それぞれ外周に近付くに従って互いに離隔する案内面８０ａ、８１ａが形成されている。
【００９８】
上側に位置するフランジ部８０の中心部には上方に開口された凹状部８０ｂが形成されている。
【００９９】
接触駆動部８２は、例えば、ウレタンゴム等の密着性の高い材料によって形成され、外径がフランジ部８０、８１の外径より小さくされている。
【０１００】
作動レバー３８とローラー４１の間にはバネ部材８３が配置されている。バネ部材８３は、例えば、圧縮コイルバネであり、ローラー４１はバネ部材８３によって作動レバー３８に対して下方へ付勢されている。ローラー４１は中心軸７０によって従動ギヤ４０に連結されており、従動ギヤ４０もローラー４１とともに作動レバー３８に対して下方へ付勢されている。
【０１０１】
尚、バネ部材８３は圧縮コイルバネに限られることはなく、ローラー４１を下方へ付勢する付勢力を有していれば、例えば、板バネやゴム等の弾性を有する部材であってもよい。
【０１０２】
また、バネ部材８３は作動レバー３８とローラー４１の間に配置されている構成に限られることはなく、例えば、作動レバー３８の上面側に配置され中心軸７０や従動ギヤ４０を下方へ押圧することによりローラー４１を下方へ付勢する構成であってもよい。
【０１０３】
バネ部材８３は、上方側の部分が作動レバー３８の配置用凹部３８ｂに挿入され、下端部がフランジ部８０の凹状部８０ｂに挿入されている。また、バネ部材８３の内側には中心軸７０が位置されている。
【０１０４】
このようにバネ部材８３の内側に中心軸７０が位置されているため、中心軸７０及びバネ部材８３の配置スペースの有効活用が図られ、その分、ディスク駆動装置１の小型化を図ることができる。
【０１０５】
また、バネ部材８３の内側に中心軸７０が位置されているため、中心軸７０によってバネ部材８３の作動レバー３８及びローラー４１からの脱落を防止することができる。
【０１０６】
さらに、作動レバー３８にバネ部材８３の一部を挿入して配置するための配置用凹部３８ｂが形成されているため、その分、作動レバー３８の上面からバネ部材８３の下端までの上下方向における長さを短縮することができ、ディスク駆動装置１の薄型化及び小型化を図ることができる。
【０１０７】
さらにまた、フランジ部８０にバネ部材８３の一部を挿入して配置するための凹状部８０ｂが形成されているため、その分、バネ部材８３の上端からローラー４１の下面までの上下方向における長さを短縮することができ、ディスク駆動装置１の一層の薄型化及び小型化を図ることができる。
【０１０８】
ローラー４１の真下にはシャーシ８の後面部８ｃに取り付けられた位置規制部材１０が位置されている。位置規制部材１０は、シャーシ８に取り付けられた被取付部９０と、被取付部９０の上端部から後方へ突出された規制部９１と、被取付部９０と規制部９１とを連結する補強リブ部９２とが、例えば、滑り性の良好なポリオキシメチレン等の樹脂材料によって形成されている。位置規制部材１０はネジ止め等によってシャーシ８の後面部８ｃに取り付けられている。
【０１０９】
規制部９１には上方を向く面が形成され、この上方を向く面が規制面９１ａとして形成されている。規制部９１には規制面９１ａ上に上方へ突出され略前後方向に延びる摺動リブ９１ｂが設けられている。
【０１１０】
上記したように、ローラー４１はバネ部材８３によって作動レバー３８に対して下方へ付勢されており、真下に位置する位置規制部材１０に押し付けられている。ローラー４１は位置規制部材１０の規制部９１に設けられた摺動リブ９１ｂに押し付けられ、下側に位置するフランジ部８１の下面が摺動リブ９１ｂの上面に接した状態とされている。
【０１１１】
ローラー４１が位置規制部材１０に押し付けられた状態においては、バネ部材８３が圧縮されており、ローラー４１の軸方向（上下方向）における位置決めが行われている。
【０１１２】
位置規制部材１０には被取付部９０と規制部９１とを連結する補強リブ部９２が設けられている。従って、補強リブ部９２によって規制部９１が補強されており、ローラー４１が位置規制部材１０に押し付けられた状態においても規制部９１が変形し難く、ローラー４１の軸方向における良好な位置精度を確保することができる。
【０１１３】
ガイド軸３１、３２にはヘッド送り部４３が摺動自在に支持されている。ヘッド送り部４３は、図４及び図１２に示すように、送りベース４４と送りベース４４に回動自在に支持されたカム支持レバー４５とカム支持レバー４５に回動自在に支持されたヘッド保持レバー４６とを有している。
【０１１４】
送りベース４４はベース板４７とベース板４７の前端部に取り付けられた軸受部材４８とベース板４７の後端部に取り付けられた結合部材４９とから成る。
【０１１５】
ベース板４７は上下方向を向く基面部５０と基面部５０の前後両側縁からそれぞれ上方へ突出された側面部５１、５２とを有している。側面部５１、５２の右端寄りの位置にはそれぞれ支持部５１ａ、５２ａが設けられている。
【０１１６】
軸受部材４８は基面部５０の上面における前端部に取り付けられ、軸受部４８ａを有している。
【０１１７】
結合部材４９は左右に延びる被取付部５３と被取付部５３の上端部から後方へ突出されたラック部５４とから成る。被取付部５３には左右両端部にそれぞれ軸受部５３ａ、５３ａが設けられている。ラック部５４の後端部はラック５４ａとして形成されている。ラック部５４の後端部における下面には下方へ突出された検出用突部５４ｂ、５４ｂが設けられ、検出用突部５４ｂ、５４ｂは左右両端部に設けられている。
【０１１８】
カム支持レバー４５は上下方向を向くベース板部５５とベース板部５５の前後両端部からそれぞれ右方へ突出された突板部５６、５６とを有している。
【０１１９】
ベース板部５５の前後両端部にはそれぞれ下方へ突出された被支持片部５５ａ、５５ａが設けられている。
【０１２０】
突板部５６、５６には、内縁にそれぞれ下方へ突出されたカム支持片部５６ａ、５６ａが設けられ、外縁にそれぞれ下方へ突出された支持片部５６ｂ、５６ｂが設けられている。支持片部５６ｂ、５６ｂはそれぞれ被支持片部５５ａ、５５ａより外側に位置されている。
【０１２１】
カム支持レバー４５は送りベース４４に回動自在に支持されている。送りベース４４の支持部５１ａ、５１ａ間には前後に延びる回動用支持軸５７が取り付けられ、回動用支持軸５７が被支持片部５５ａ、５５ａに挿入されてカム支持レバー４５が送りベース４４に支持されている。従って、カム支持レバー４５は回動用支持軸５７を支点として送りベース４４に対して回動可能とされている。
【０１２２】
回動用支持軸５７の前後両端部にはそれぞれ回動付勢バネ５８、５８が支持され、回動付勢バネ５８、５８としては、例えば、捩じりコイルバネが用いられている。カム支持レバー４５は回動付勢バネ５８、５８によって突板部５６、５６が略上方へ移動する回動方向へ付勢されている。
【０１２３】
突板部５６、５６のカム支持片部５６ａ、５６ａ間には前後に延びるカム支持軸５９が取り付けられ、カム支持軸５９に移動カム６０が軸回り方向へ回転自在かつ軸方向へ移動自在に支持されている。
【０１２４】
移動カム６０は周方向に延びる溝状に形成された往路用カム係合部６０ａと周方向に延びる溝状に形成され往路用カム係合部６０ａより径の小さい復路用カム係合部６０ｂとを有し、往路用カム係合部６０ａと復路用カム係合部６０ｂは前後に離隔して位置されている。上記したように、カム支持レバー４５は回動付勢バネ５８、５８によって突板部５６、５６が略上方へ移動する回動方向へ付勢されているため、カム支持片部５６ａ、５６ａ間に位置された移動カム６０は回動付勢バネ５８、５８によって略上方へ付勢されている。
【０１２５】
カム支持軸５９には移動カム６０の前側に付勢バネ６１が支持され、付勢バネ６１としては、例えば、圧縮コイルバネが用いられている。移動カム６０は付勢バネ６１によって後方へ付勢されている。
【０１２６】
ヘッド保持レバー４６は上下方向を向く基部６２と基部６２の右側縁から右斜め稍上方へ突出されたヘッド取付部６３とヘッド取付部６３の前後両側縁からそれぞれ上方へ突出された被支持部６４、６４とを有している。ヘッド取付部６３の下面には印画ヘッド６５が取り付けられている。印画ヘッド６５としては、例えば、サーマルヘッドが用いられている。
【０１２７】
ヘッド保持レバー４６はカム支持レバー４５に回動自在に支持されている。カム支持レバー４５の支持片部５６ｂ、５６ｂにはそれぞれ前後に延びる支点軸６６、６６が取り付けられ、支点軸６６、６６が被支持部６４、６４に挿入されヘッド保持レバー４６がカム支持レバー４５に支持されている。従って、ヘッド保持レバー４６は支点軸６６、６６を支点としてカム支持レバー４５に対して回動可能とされている。
【０１２８】
カム支持レバー４５の突板部５６、５６とヘッド保持レバー４６のヘッド取付部６３との間には前後に離隔して押付バネ６７、６７が支持され、押付バネ６７、６７としては、例えば、圧縮コイルバネが用いられている。ヘッド保持レバー４６は押付バネ６７、６７によってヘッド取付部６３が略下方へ移動する回動方向へ付勢され、ヘッド取付部６３に取り付けられた印画ヘッド６５が略下方へ移動する方向へ付勢されている。
【０１２９】
ヘッド送り部４３は軸受部材４８の軸受部４８ａと結合部材４９の軸受部５３ａ、５３ａとがそれぞれガイド軸３１、３２に摺動自在に支持され、ガイド軸３１、３２に案内されて左右方向へ移動可能とされている。
【０１３０】
結合部材４９のラック５４ａは支持ベース１４に支持された送りギヤ２９のギヤ部２９ａに噛合されている。従って、駆動モーター３４が回転されると、その駆動力が順にウォーム３５、伝達ギヤ２８、送りギヤ２９及び結合部材４９に伝達され、ヘッド送り部４３がガイド軸３１、３２に案内されて左右方向へ移動される。
【０１３１】
ヘッド送り部４３は駆動モーター３４の駆動力によって右方側の移動端である初期位置と左方側の移動端である折返し位置との間で往復移動され、このとき印画ヘッド６５は右方側の移動端である第１の位置と左方側の移動端である第２の位置との間で往復移動される。
【０１３２】
［印画ユニットの印画動作］
以下に、印画ユニット１３の印画動作について説明する（図１３乃至図３１参照）。
【０１３３】
先ず、印画動作が行われる前の印画ユニット１３の初期状態（ホームポジション）について説明する（図１３乃至図１５参照）。
【０１３４】
初期状態においては送りギヤ２９が所定の位置に保持されており、作用部２９ｂが作動レバー３８の被作用突部３８ａに前方から係合され、作動レバー３８が引張コイルバネ４２の付勢力に抗して一方の回動端に保持されている。このとき作動レバー３８に支持されたローラー４１はディスク状記録媒体１００の外周面から後方に離隔しディスク状記録媒体１００の外周面に接触しない非接触位置に保持されている。非接触位置において、ローラー４１はバネ部材８３によって位置規制部材１０の規制部９１に押し付けられた状態とされている。
【０１３５】
ヘッド送り部４３は、初期状態において、右方の移動端である初期位置に保持されている。このとき移動カム６０は右方の移動端に保持され、往路用カム係合部６０ａが案内カム２２におけるカムガイド部２４の第１の作用部２４ａの右端部に係合されている。前後方向に移動可能とされている移動カム６０の往路用カム係合部６０ａがカムガイド部２４に係合されている位置は、前後方向の移動範囲における第１の係合位置とされ、移動カム６０の復路用カム係合部６０ｂがカムガイド部２４に係合される位置が第２の係合位置とされる。
【０１３６】
初期状態においては、ヘッド送り部４３の結合部材４９に設けられた一方の検出用突部５４ｂが位置検出センサー３３に対応して位置されており、位置検出センサー３３によってヘッド送り部４３が初期位置に存在することが検出される。
【０１３７】
初期状態においては、移動カム６０の往路用カム係合部６０ａがカムガイド部２４の第１の作用部２４ａに係合されているため、カム支持レバー４５に支持されているヘッド保持レバー４６は上下の移動範囲における上方側に位置されている。従って、ヘッド保持レバー４６に取り付けられた印画ヘッド６５がディスク状記録媒体１００の印画面１０２から上方に離隔して位置されている。
【０１３８】
上記した初期状態において、駆動モーター３４が一方向へ回転されると、ヘッド送り部４３が初期位置から折返し位置へ向けて左方へ移動されていき、往路の動作が開始される。
【０１３９】
駆動モーター３４が一方向へ回転されると、送りギヤ２９が回転されて作用部２９ｂが略前方へ移動されていく。作動レバー３８は引張コイルバネ４２の付勢力によって被作用突部３８ａが作用部２９ｂに追従されてローラー４１が略前方へ移動される方向へ回動され、ローラー４１の接触駆動部８２がディスク状記録媒体１００の外周面に押し付けられて接触位置に至る（図１６及び図１７参照）。従って、ディスク状記録媒体１００の回転がローラー４１によって規制される。
【０１４０】
このときローラー４１はバネ部材８３によって位置規制部材１０に押し付けられた状態で移動され、フランジ部８１の下面が位置規制部材１０の規制部９１に設けられた摺動リブ９１ｂに摺動される。
【０１４１】
従って、フランジ部８１が摺動リブ９１ｂに摺動されるため、ローラー４１が移動されるときのローラー４１の位置規制部材１０に対する接触面積が小さく、ローラー４１の移動に対する負荷が小さく、作動レバー３８及びローラー４１を円滑に移動（回動）させることができる。
【０１４２】
また、上記したように、フランジ部８０、８１の外周部における互いに対向する面には、それぞれ外周に近付くに従って互いに離隔する案内面８０ａ、８１ａが形成されている。
【０１４３】
従って、ローラー４１がディスク状記録媒体１００の外周面に近付くときに、案内面８０ａ、８１ａによってディスク状記録媒体１００が案内可能とされ、ディスク状記録媒体１００が一対のフランジ部８０、８１間に挿入され易く、ローラー４１の接触駆動部８２をディスク状記録媒体１００の外周面に確実に接触させることができる。
【０１４４】
移動カム６０はカム支持レバー４５が回動付勢バネ５８、５８によって略上方へ移動される回動方向へ付勢されているため、往路用カム係合部６０ａがカムガイド部２４の第１の作用部２４ａに押し付けられた状態でカム支持軸５９に対して回転され、第１の作用部２４ａの左端部に係合される（図１８参照）。第１の作用部２４ａは、上記したように、第２の作用部２４ｂに近付くに従って下方への突出量が大きくなるように形成されているため、ヘッド送り部４３の左方への移動に伴って印画ヘッド６５が次第に下方へ移動されディスク状記録媒体１００の印画面１０２に近付いて行く。
【０１４５】
引き続き駆動モーター３４の回転によりヘッド送り部４３は左方へ移動されていき、送りギヤ２９が引き続き回転されて作用部２９ｂが作動レバー３８の被作用突部３８ａから離隔される（図１９参照）。従って、ローラー４１は接触駆動部８２がディスク状記録媒体１００の外周面に押し付けられた状態が保持され、ディスク状記録媒体１００の回転がローラー４１によって規制された状態が保持される。
【０１４６】
移動カム６０は往路用カム係合部６０ａがカムガイド部２４の第２の作用部２４ｂの右端部に係合される（図２０参照）。従って、印画ヘッド６５が下方へ移動されてディスク状記録媒体１００の印画面１０２における外周部に接し、印画面１０２に対する印画ヘッド６５による印画が開始される。印画ヘッド６５が下方へ移動された状態においては、図２１に示すように、印画ヘッド６５がディスク状記録媒体１００の印画面１０２に上方から押し付けられてディスク状記録媒体１００が撓んだ状態とされ、ディスク状記録媒体１００の外縁が配置ベース１１のベース面１１ａに貼り付けられたクッション部材１２に押し付けられる。
【０１４７】
駆動モーター３４の回転により引き続きヘッド送り部４３は左方へ移動され、折返し位置まで移動される（図２２参照）。ヘッド送り部４３が左方の移動端まで移動されると、ヘッド送り部４３の結合部材４９に設けられた他方の検出用突部５４ｂが位置検出センサー３３に対応して位置され、位置検出センサー３３によってヘッド送り部４３が折返し位置に移動されたことが検出され、駆動モーター３４の回転が一旦停止される。
【０１４８】
ヘッド送り部４３が折返し位置まで移動されるときには、移動カム６０は往路用カム係合部６０ａがカムガイド部２４の第２の作用部２４ｂに押し付けられた状態で回転される。移動カム６０はヘッド送り部４３の折返し位置への移動に伴い左方の移動端に移動される（図２３参照）。この間、印画ヘッド６５はディスク状記録媒体１００の印画面１０２に摺接され、印画面１０２に対する印画ヘッド６５による印画が行われる。
【０１４９】
ヘッド送り部４３が折返し位置に移動されたときには、移動カム６０の往路用カム係合部６０ａがカムガイド部２４の第２の作用部２４ｂから左方に移動されてカムガイド部２４との係合が解除される（図２２参照）。従って、移動カム６０は付勢バネ６１の付勢力によって後方へ移動されて第２の係合位置に保持され、復路用カム係合部６０ｂがカムガイド部２４の第２の作用部２４ｂの左方に位置される（図２２及び図２４参照）。
【０１５０】
ヘッド送り部４３が折返し位置に移動されたときには移動カム６０のカムガイド部２４に対する係合が解除されるため、回動付勢バネ５８、５８の付勢力によってカム支持レバー４５とヘッド保持レバー４６が略上方へ移動され、印画ヘッド６５がディスク状記録媒体１００の印画面１０２から上方に離隔して位置され、印画面１０２に対する印画ヘッド６５による印画が終了する。
【０１５１】
上記したように、ヘッド送り部４３が折返し位置まで移動されたことが位置検出センサー３３によって検出されると、駆動モーター３４が逆回転され他方の方向へ回転される。
【０１５２】
駆動モーター３４の他方の方向への回転によりヘッド送り部４３は折返し位置から初期位置へ向けて右方へ移動されていき、復路の動作が開始される。復路においてはディスク状記録媒体１００の印画面１０２に対する印画ヘッド６５による印画が行われない非印画時の動作が行われる。
【０１５３】
ヘッド送り部４３が折返し位置から右方へ移動されていくときには、移動カム６０は復路用カム係合部６０ｂがカムガイド部２４の第２の作用部２４ｂに押し付けられた状態で回転される（図２５及び図２６参照）。このとき印画ヘッド６５はガイド軸３１、３２と印画面１０２の間において印画面１０２から上方に離隔する位置に保持された状態で右方へ向けて移動されていく。
【０１５４】
ヘッド送り部４３が右方へ移動され移動カム６０の復路用カム係合部６０ｂがカムガイド部２４の第２の作用部２４ｂから第１の作用部２４ａに亘って係合されたときには、移動カム６０の後端部が戻しカム２５の案内面２６ａと案内面２７ａに連続して摺動される（図２７参照）。従って、移動カム６０は右方へ移動されるに従って付勢バネ６１の付勢力に抗して前方へ移動されていく。
【０１５５】
駆動モーター３４の回転により引き続きヘッド送り部４３は右方へ移動されて初期位置に至る（図２８及び図２９参照）。ヘッド送り部４３が初期位置に移動されると、印画ヘッド６５は右方の移動端に保持される。また、ヘッド送り部４３が初期位置に移動される直前においては、移動カム６０は右方へ移動されるに従って戻しカム２５に摺動されて前方へ移動されていく。従って、ヘッド送り部４３が初期位置に移動されたときに、往路用カム係合部６０ａがカムガイド部２４の第１の作用部２４ａに係合されて第１の係合位置に至る。
【０１５６】
ヘッド送り部４３が右方の移動端まで移動されると、結合部材４９に設けられた一方の検出用突部５４ｂが位置検出センサー３３に対応して位置され、位置検出センサー３３によってヘッド送り部４３が初期位置に存在することが検出される。従って、駆動モーター３４の回転が一旦停止される。このとき送りギヤ２９によって作用部２９ｂが作動レバー３８の被作用突部３８ａに前方から係合されて被作用突部３８ａが後方へ押圧される。従って、作動レバー３８が引張コイルバネ４２の付勢力に抗して回動され、ローラー４１がディスク状記録媒体１００の外周面から後方に離隔されて非接触位置に移動されディスク状記録媒体１００の回転の規制が解除される。
【０１５７】
上記のように、ヘッド送り部４３が初期位置に戻って印画ヘッド６５が第１の位置に戻り、移動カム６０が第１の係合位置に戻り、作動レバー３８が回動されてローラー４１がディスク状記録媒体１００の外周面から離隔されて非接触位置に戻ることにより初期状態に戻る。
【０１５８】
上記した印画動作においては、ヘッド送り部４３によるディスク状記録媒体１００の半径の大きさに対応する距離の往復動作が行われており、ディスク状記録媒体１００の印画面１０２の約４分の１の領域内において印画が行われる。
【０１５９】
従って、ディスク状記録媒体１００の印画面１０２の他の約４分の１の領域内における印画を行う場合には、以下のような動作が行われる。
【０１６０】
上記した初期状態において、再び、駆動モーター３４が一方向へ回転され、ヘッド送り部４３が初期位置から折返し位置へ向けて左方へ移動されていく。
【０１６１】
駆動モーター３４が一方向へ回転されると、送りギヤ２９が回転されて作用部２９ｂが略前方へ移動されていく。作動レバー３８は引張コイルバネ４２の付勢力によって被作用突部３８ａが作用部２９ｂに追従されてローラー４１が略前方へ移動される方向へ回動され、ローラー４１の接触駆動部８２がディスク状記録媒体１００の外周面に押し付けられる（図３０参照）。
【０１６２】
ローラー４１の接触駆動部８２がディスク状記録媒体１００の外周面に押し付けられたところで駆動モーター３４の一方向への回転が一旦停止される。
【０１６３】
移動カム６０はヘッド送り部４３の左方への移動に伴って移動され、往路用カム係合部６０ａがカムガイド部２４の第１の作用部２４ａに押し付けられた状態で回転され、第１の作用部２４ａの左端部に係合される。
【０１６４】
このとき回転用モーター３６が回転され、ローラー４１が回転される。ローラー４１の回転によりディスクテーブル７ｂに保持されているディスク状記録媒体１００が回転される（図３１参照）。ディスク状記録媒体１００が、例えば、９０°回転されたところで回転用モーター３６の回転が停止され、ディスク状記録媒体１００の回転が再びローラー４１によって規制される。
【０１６５】
回転用モーター３６の回転が停止されると駆動用モーター３４の一方向への回転が再開され、ヘッド送り部４３が再び折返し位置へ向けて左方へ移動されていく。従って、９０°回転される前に印画動作が行われて印刷２００が形成された領域とは異なる領域に対して、上記と同様の印画ヘッド６５によるディスク状記録媒体１００の印画面１０２に対する印画動作が行われる。
【０１６６】
［まとめ］
以上に記載した通り、ディスク駆動装置１にあっては、ローラー４１をバネ部材８３によって軸方向へ付勢して位置規制部材１０に押し付けローラー４１の軸方向における位置決めを行っている。
【０１６７】
従って、ローラー４１の軸方向における位置精度が高くなり、ローラー４１がディスク状記録媒体１００の外周面の正しい位置に確実に接触され、ローラー４１のディスク状記録媒体１００に対する接触不良が生じることがなく、ローラー４１のディスク状記録媒体１００に対する接触不良による不具合の発生を防止することができる。
【０１６８】
また、位置規制部材１０はディスク状記録媒体１００が装着されるディスクテーブル７ｂを支持するディスクトレイ４が移動自在に支持されたシャーシ８に取り付けられている。
【０１６９】
従って、位置規制部材１０のディスク状記録媒体１００に対する位置精度が高く、位置規制部材１０に押し付けられたローラー４１とディスク状記録媒体１００の良好な位置精度を確保することができる。
【０１７０】
［本技術］
本技術は、以下のような構成にすることができる。
【０１７１】
（１）印画面及び記録面を有するディスク状記録媒体に対して情報信号の記録又は再生を行う記録再生ユニットと、前記ディスク状記録媒体の印画面に対して印画を行う印画ヘッドと、前記ディスク状記録媒体の外周面に対して離接し前記外周面に接した状態で回転されることにより前記ディスク状記録媒体を回転させるローラーと、前記ローラーを前記ローラーの軸方向へ付勢するバネ部材と、前記バネ部材によって付勢された前記ローラーが押し付けられる規制部を有し前記ローラーの前記軸方向における位置決めを行う位置規制部材とを備えたディスク駆動装置。
【０１７２】
（２）前記ローラーは前記軸方向における一方の面が前記規制部に押し付けられた状態で回転され、前記位置規制部材の規制部に前記ローラーの前記一方の面側に突出され前記一方の面が摺動される摺動リブを設けた前記（１）に記載のディスク駆動装置。
【０１７３】
（３）前記記録再生ユニットは前記ディスク状記録媒体が装着されるディスクテーブルを有し、前記記録再生ユニットが所定の方向へ移動されるディスクトレイに支持され、前記ディスクトレイが移動自在に支持されるシャーシを設け、前記シャーシに前記位置規制部材を取り付けた前記（１）又は前記（２）に記載のディスク駆動装置。
【０１７４】
（４）前記位置規制部材に、前記シャーシに取り付けられる被取付部と、前記被取付部と前記規制部とを連結する補強リブ部とを設けた前記（１）から前記（３）の何れかに記載のディスク駆動装置。
【０１７５】
（５）前記ローラーが回転自在に支持され前記ディスク状記録媒体の外周面に対して離接する方向へ移動される作動レバーを設け、前記バネ部材を前記作動レバーと前記ローラーの間に配置し、前記作動レバーに前記ローラー側に開口された配置用凹部を形成し、前記配置用凹部に前記バネ部材の少なくとも一部を配置した前記（１）から前記（４）の何れかに記載のディスク駆動装置。
【０１７６】
（６）前記ローラーに前記作動レバー側に開口された凹状部を形成し、前記凹状部に前記バネ部材の少なくとも一部を配置した前記（５）に記載のディスク駆動装置。
【０１７７】
（７）前記バネ部材としてコイルバネを用い、前記バネ部材の内側に前記ローラーの回転中心となる中心軸が位置されるようにした前記（１）から前記（６）の何れかに記載のディスク駆動装置。
【０１７８】
（８）前記ローラーに前記軸方向に離隔して位置された一対のフランジ部と前記一対のフランジ部の間に位置され前記ディスク状記録媒体の外周面に接し前記フランジ部より外径が小さい接触駆動部とを設け、前記一対のフランジ部の外周部における互いに対向する面にそれぞれ外周に近付くに従って互いに離隔する案内面を形成した前記（１）から前記（７）の何れかに記載のディスク駆動装置。
【０１７９】
上記した最良の形態において示した各部の具体的な形状及び構造は、何れも本技術を実施する際の具体化のほんの一例を示したものにすぎず、これらによって本技術の技術的範囲が限定的に解釈されることがあってはならないものである。
【図面の簡単な説明】
【０１８０】
【図１】図２乃至図３１と共に本技術ディスク駆動装置の実施の形態を示すものであり、本図は、ディスク駆動装置の斜視図である。
【図２】ディスク駆動装置をディスクトレイが引き出された状態でディスク状記録媒体とともに示す斜視図である。
【図３】ディスク駆動装置の内部構造を一部を断面にして示す概略平面図である。
【図４】印画ユニット等の分解斜視図である。
【図５】印画ユニットの斜視図である。
【図６】印画ユニットの平面図である。
【図７】印画ユニットの正面図である。
【図８】印画ユニットの側面図である。
【図９】支持ベースとこれに取り付けられた各部材とを示す背面図である。
【図１０】作動レバーと作動レバーに支持される各部等を示す拡大分解斜視図である。
【図１１】作動レバーと作動レバーに支持される各部等を示す拡大断面図である。
【図１２】送りベースとカム支持レバーとヘッド保持レバーとこれらに支持された各部材とを示す斜視図である。
【図１３】図１４乃至図３１と共に印画ユニットの動作を示すためのものであり、本図は、初期状態を示す平面図である。
【図１４】初期状態を示す正面図である。
【図１５】初期状態を示す側面図である。
【図１６】初期状態からヘッド送り部が折返し位置へ向けて移動が開始された直後の状態を示す平面図である。
【図１７】作動レバーが回動されてローラーがディスク状記録媒体の外周面に接した状態を示す拡大断面図である。
【図１８】初期状態からヘッド送り部が折返し位置へ向けて移動が開始された直後の状態を示す正面図である。
【図１９】図１６に引き続いてヘッド送り部が折返し位置へ向けて移動された状態を示す平面図である。
【図２０】図１８に引き続いてヘッド送り部が折返し位置へ向けて移動された状態を示す正面図である。
【図２１】ディスク状記録媒体の印画面に印画ヘッドが押し付けられた状態を示す概略正面図である。
【図２２】ヘッド送り部が折返し位置まで移動された状態を示す平面図である。
【図２３】ヘッド送り部が折返し位置まで移動された状態を示す正面図である。
【図２４】ヘッド送り部が折返し位置まで移動された状態を示す側面図である。
【図２５】ヘッド送り部が折返し位置から初期位置へ向けて移動されている途中の状態を示す平面図である。
【図２６】ヘッド送り部が折返し位置から初期位置へ向けて移動されている途中の状態を示す正面図である。
【図２７】移動カムが戻しカムに摺動されている状態を示す拡大平面図である。
【図２８】ヘッド送り部が初期位置まで移動された状態を示す平面図である。
【図２９】ヘッド送り部が初期位置まで移動された状態を示す正面図である。
【図３０】再び駆動モーターが回転されてローラーがディスク状記録媒体に接した状態を示す平面図である。
【図３１】ローラーの回転によりディスク状記録媒体が回転された状態を示す平面図である。
【符号の説明】
【０１８１】
１…ディスク駆動装置、４…ディスクトレイ、７…記録再生ユニット、７ｂ…ディスクテーブル、８…シャーシ、１０…位置規制部材、３８…作動レバー、３８ｂ…配置用凹部、４１…ローラー、６５…印画ヘッド、７０…中心軸、８０…フランジ部、８０ａ…案内面、８０ｂ…凹状部、８１…フランジ部、８１ａ…案内面、８２…接触駆動部、８３…バネ部材、９０…被取付部、９１…規制部、９１ｂ…摺動リブ、９２…補強リブ部、１００…ディスク状記録媒体、１０１…記録面、１０２…印画面
【図１】
2013051009.tif 000003
【図２】
2013051009.tif 000004
【図３】
2013051009.tif 000005
【図４】
2013051009.tif 000006
【図５】
2013051009.tif 000007
【図６】
2013051009.tif 000008
【図７】
2013051009.tif 000009
【図８】
2013051009.tif 000010
【図９】
2013051009.tif 000011
【図１０】
2013051009.tif 000012
【図１１】
2013051009.tif 000013
【図１２】
2013051009.tif 000014
【図１３】
2013051009.tif 000015
【図１４】
2013051009.tif 000016
【図１５】
2013051009.tif 000017
【図１６】
2013051009.tif 000018
【図１７】
2013051009.tif 000019
【図１８】
2013051009.tif 000020
【図１９】
2013051009.tif 000021
【図２０】
2013051009.tif 000022
【図２１】
2013051009.tif 000023
【図２２】
2013051009.tif 000024
【図２３】
2013051009.tif 000025
【図２４】
2013051009.tif 000026
【図２５】
2013051009.tif 000027
【図２６】
2013051009.tif 000028
【図２７】
2013051009.tif 000029
【図２８】
2013051009.tif 000030
【図２９】
2013051009.tif 000031
【図３０】
2013051009.tif 000032
【図３１】
2013051009.tif 000033